(57)【要約】      （修正有）【課題】タブレットやノートパソコン等の端末を容易に手元に携帯しやすいスーツケースを提供する。【解決手段】前蓋１と、後蓋２と、前蓋１または後蓋２に形成した直方体状の収容空間２１に収容するバッグ３と、を有し、バッグ３は、底板３２１と、底板３２１の周縁に沿って立設する連接部３２２と、からなる底部３２と、底部３２の連接部３２２とファスナー３３により開閉可能に連結する上蓋３１と、からなり、バッグは３、収容空間２１および底板３２１に設けた固定手段４を介して収容空間２１に固定される。【選択図】図１
0003216309.tif 000002
【実用新案登録請求の範囲】
【請求項１】
前蓋と、キャリーハンドルを穿設した後蓋と、前記前蓋または前記後蓋の外側に形成した直方体状の収容空間に収容するバッグと、を有し、
前記バッグは、
底板と、前記底板の周縁に沿って立設する連接部と、からなる底部と、
前記底部の前記連接部とファスナーにより開閉可能に連結する上蓋と、からなり、
前記バッグは、前記収容空間および前記底板に設けた固定手段を介して前記収容空間に固定される、スーツケース。
【請求項２】
請求項１に記載のスーツケースにおいて、
前記上蓋は、前記収容空間を形成した前記前蓋または前記後蓋と同じ材質であることを特徴とする、スーツケース。
【請求項３】
請求項１または請求項２に記載のスーツケースにおいて、
前記収容空間は前記後蓋に形成することを特徴とする、スーツケース。
【請求項４】
請求項１乃至請求項３のいずれか一項に記載のスーツケースにおいて、
前記固定手段は、
前記底板に設けた嵌合孔と、
前記収容空間の底面に立設して前記嵌合孔と嵌合する回転留め具と、からなることを特徴とする、スーツケース。
【請求項５】
請求項１乃至請求項４のいずれか一項に記載のスーツケースにおいて、
前記底板の外側底面と、前記収容空間の底面とに、それぞれ対応する面ファスナーを設けることを特徴とする、スーツケース。
【考案の詳細な説明】
【技術分野】
【０００１】
本考案は、スーツケースに関するものである。
【背景技術】
【０００２】
旅行ではスーツケースに荷物を入れて持ち運ぶことが多い。
そして近年はタブレットやノートパソコンの進歩により旅行の荷物となる機会が増えており、これらの端末をスーツケースに入れて持ち運ぶことも多い。
【先行技術文献】
【特許文献】
【０００３】
【特許文献１】特開2015-213603号公報
【考案の概要】
【考案が解決しようとする課題】
【０００４】
これらの端末を使用する際や空港の保安検査時には端末をスーツケースから取り出す必要があるが、特にハードタイプのスーツケースの場合、前蓋と後蓋を合わせた収納空間しか持たないスーツケースがほとんどであり、収納空間から端末を取り出すためには、一度スーツケースを全開にする必要がある。
また、引用文献１に記載のスーツケースのように、外部に端末を収納する空間を形成した場合であっても、例えばスーツケースを飛行機内に持ち込んだ場合、狭い機内で端末を収納空間から取り出すことは容易ではない。
【０００５】
本考案の目的は、タブレットやノートパソコン等の端末を容易に手元に携帯しやすいスーツケースを提供することを目的とする。
【課題を解決するための手段】
【０００６】
上記目的を達成するためになされた本願の第１考案は、前蓋と、キャリーハンドルを穿設した後蓋と、前記前蓋または前記後蓋の外側に形成した直方体状の収容空間に収容するバッグと、を有し、前記バッグは、底板と、前記底板の周縁に沿って立設する連接部と、からなる底部と、前記底部の前記連接部とファスナーにより開閉可能に連結する上蓋と、からなり、前記バッグは、前記収容空間および前記底板に設けた固定手段を介して前記収容空間に固定される、スーツケースを提供する。
本願の第２考案は、第１考案のスーツケースにおいて、前記上蓋は、前記収容空間を形成した前記前蓋または前記後蓋と同じ材質であることを特徴とする、スーツケースを提供する。
本願の第３考案は、第１考案または第２考案のスーツケースにおいて、前記収容空間は前記後蓋に形成することを特徴とする、スーツケースを提供する。
本願の第４考案は、第１考案乃至第３考案のいずれかのスーツケースにおいて、前記固定手段は、前記底板に設けた嵌合孔と、前記収容空間の底面に立設して前記嵌合孔と嵌合する回転留め具と、からなることを特徴とする、スーツケースを提供する。
本願の第５考案は、第１考案乃至第４考案のいずれかのスーツケースにおいて、前記底板の外側底面と、前記収容空間の底面とに、それぞれ対応する面ファスナーを設けることを特徴とする、スーツケースを提供する。
【考案の効果】
【０００７】
本考案は、上記した課題を解決するための手段により、次のような効果の少なくとも一つを得ることができる。
（１）端末を収容可能なバッグを別に設けることにより、端末をスーツケースから容易に取り出すことができる。
（２）バッグは取り外すことができるため、飛行機内でもバッグのみを手元に携帯することができる。
（３）バッグはスーツケースの前蓋や後蓋と同じ硬質の材質でできているため、外したバッグを膝の上等に置いて作業台として使用することができる。
（４）キャリーハンドルを持って移動する際に内側となる後蓋に収容空間を形成してバッグを固定するため、バッグの紛失や盗難を防止することができる。
【図面の簡単な説明】
【０００８】
【図１】本考案のスーツケースの説明図
【図２】バッグを取り付けた状態の本考案のスーツケースの断面図
【図３】バッグを取り付けた状態の本考案のスーツケースの斜視図
【図４】取り外した状態のバッグの斜視図
【考案を実施するための形態】
【０００９】
以下、図面を参照しながら本考案の実施の形態について説明する。
【実施例】
【００１０】
（１）スーツケースの概要
本考案のスーツケースは、前蓋１と後蓋２を有し、後蓋２に収容空間２１を形成し、その収容空間２１内にバッグ３を収容し固定するものである（図１）。
スーツケースはハードタイプであり、前蓋１と後蓋２はＡＢＳ、ＰＰ、アルミ合金等の硬質な材質により形成する。
後蓋２には、キャリーハンドル２２を穿設する。
【００１１】
（２）収容空間
収容空間２１は後蓋２の外側に形成し、外から内へ凹設する直方体状の空間である。
収容空間２１の底面には、バッグ３を固定するための固定手段４である回転留め具４１を立設する。回転留め具４１は収容空間２１の底面から立設する軸４１１と、軸４１１の上端に回転可能に取り付ける略楕円形状の留め板４１２と、からなる。
収容空間２１は、前蓋１の外側に形成してもよい。
【００１２】
（３）バッグ
バッグ３は、上蓋３１と底部３２とをファスナー３３を介して開閉可能に連結して構成する。
上蓋３１は、バッグ３を収容空間２１に固定したときに表面に露出する部位であり、収容空間２１を形成した後蓋２と同じ材質とし、内部に収容する端末等の荷物を保護する。
底部３２は、硬質な底板３２１と、底板３２１の周縁に沿って立設する軟質の連接部３２２と、からなり、上蓋３１と連接部３２２の上端との間にファスナー３３を設ける。
バッグ３の底板３２１には、固定手段４の回転留め具４１に対応する位置に、留め板４１２を挿通可能な略楕円形状の係合孔４２を形成する。
また、底板３２１の外側底面と、収容空間２１の底面とに、それぞれ対応する面ファスナー３２３、２１１を設ける。
【００１３】
（３．１）バッグ固定時
バッグ３は、底板３２１に形成した係合孔４２に回転留め具４１挿通し、留め板４１２を９０度回動して係合することにより収容空間２１に固定する（図２、図３）。
ファスナー３３を開くことにより、バッグ３をスーツケース本体に固定した状態で開閉し、端末等の荷物を容易に取り出すことができる。
収容空間２１を後蓋２に形成すると、キャリーハンドル２２を持って移動する際に内側にバッグ３が位置するため、バッグ３の紛失や盗難を防止することができる。
【００１４】
（３．２）バッグ取り外し
バッグ３を取り外す際には、留め板４１２を９０度回動し、回転留め具４１が係合孔４２から抜ける状態とする。
バッグ３は収容空間２１側の面ファスナー２１１と、バッグ３側の面ファスナー３２３により収容空間２１に止められており、すぐに外れることがない。
そして、回転留め具４１を係合孔４２から抜きながら、収容空間２１側の面ファスナー２１１とバッグ３側の面ファスナー３２３を剥がすことにより、バッグ３を取り外すことができる（図４）。
バッグ３は容易に取り外すことができ、例えばスーツケースを飛行機内に持ち込んだ場合でも、バッグ３のみを手元に携帯することができる。
バッグ３の上蓋３１は、後蓋２と同じ硬質な材質でできているため、外したバッグ３を膝の上等において端末を用いる際の作業台として使用することができる。
バッグ３の内部に持ち手３４を設けておいて引き出せば、外す際の持ち手となり、またバッグ３を持ち運ぶ際にも持ち手３４を持った状態で持ち運びできる。
【符号の説明】
【００１５】
１      前蓋
２      後蓋
２１    収容空間
２１１  面ファスナー
２２    キャリーハンドル
３      バッグ
３１    上蓋
３２    底部
３２１  底板
３２２  連接部
３２３  面ファスナー
３３    ファスナー
３４    持ち手
４      固定手段
４１    回転留め具
４１１  軸
４１２  留め板
４２    係合孔
【図１】
0003216309.tif 000003
【図２】
0003216309.tif 000004
【図３】
0003216309.tif 000005
【図４】
0003216309.tif 000006